(57)【要約】  【課題】  表面に配されるハンドルトリムの変形や破損の発生を防止できる把手装置及びそれを備えた冷蔵庫を提供する。  【解決手段】  扉２ａ、３ａの前面に密着する複数の脚部１１、１２を有して脚部１１、１２間の空間７に使用者が手指を挿入して把持し、扉２ａ、３ａを開閉する把手装置５、６において、脚部１１、１２が形成されるとともに脚部１１、１２間に橋架される橋架部１３を有する樹脂製のハンドルベース１０と、橋架部１３の前面に取り付けられる金属製のハンドルサポート２０と、ハンドルサポート２０の前面を覆う樹脂製のハンドルトリム３０とを備え、ハンドルトリム３０の長手方向の両端に被せてハンドルトリム３０を係止する第１、第２ハンドルキャップ４０、５０をハンドルベース１０に設けた。【選択図】      図２
2006250481.tif 000002
【特許請求の範囲】
【請求項１】
扉の前面に密着する複数の脚部を有して前記脚部間の空間に使用者が手指を挿入して把持し、扉を開閉する把手装置において、前記脚部が形成されるとともに前記脚部間に橋架される橋架部を有する樹脂製のハンドルベースと、前記橋架部の前面に取り付けられる金属製のハンドルサポートと、前記ハンドルサポートの前面を覆う樹脂製のハンドルトリムとを備え、前記ハンドルトリムの長手方向の両端に被せて前記ハンドルトリムを係止する第１、第２係止部を前記ハンドルベースに設けたことを特徴とする把手装置。
【請求項２】
周部を前記ハンドルベースに密着して内側に空間を形成する第１、第２ハンドルキャップを前記ハンドルベースの長手方向の両端に設け、第１、第２係止部がそれぞれ第１、第２ハンドルキャップから成ることを特徴とする請求項１に記載の把手装置。
【請求項３】
第１、第２ハンドルキャップの少なくとも一方は、前記ハンドルベースの側壁に設けた係止溝に係合する係止爪を有し、前記係止溝は前記ハンドルベースの長手方向に延びるとともに屈曲して前方を開放したＬ字型に形成されることを特徴とする請求項２に記載の把手装置。
【請求項４】
前記ハンドルサポートは前記脚部を挟んで扉にネジ止めされる台部を有することを特徴とする請求項１〜請求項３のいずれかに記載の把手装置。
【請求項５】
前記ハンドルトリムは第１、第２係止部に覆われる段差部を長手方向の両端に有し、前記段差部の側壁と第１、第２係止部との間に隙間を設けたことを特徴とする請求項１〜請求項４のいずれかに記載の把手装置。
【請求項６】
前記ハンドルトリムは前記橋架部の側面を覆う断面コ字型の透明部材から成り、前記ハンドルトリムの背面側を塗装するとともに、前記ハンドルトリムの側壁内面が平坦面から成ることを特徴とする請求項１〜請求項５のいずれかに記載の把手装置。
【請求項７】
第１、第２係止部で係止される前記ハンドルトリムの前面の曲率半径が、第１、第２係止部による係止を解除した状態の前記ハンドルトリムの前面の曲率半径よりも小さいことを特徴とする請求項１〜請求項６のいずれかに記載の把手装置。
【請求項８】
請求項１〜請求項７のいずれかに記載の把手装置が取り付けられる開閉扉と、前記開閉扉により開閉して貯蔵物を冷却保存する冷却室とを備えたことを特徴とする冷蔵庫。
【発明の詳細な説明】
【技術分野】
【０００１】
本発明は、扉の前面に配されて使用者が把持する把手装置及びそれを用いた冷蔵庫に関する。
【背景技術】
【０００２】
従来の把手装置は特許文献１に開示されている。この把手装置は扉に密着して扉にネジ止めされる脚部を両端に有している。脚部間の空間に使用者が手指を挿入し、両脚部を連結する把手部を把持して扉を開閉できるようになっている。脚部は樹脂成形品から成るハンドルベース（ハンドルボディ）に形成され、ハンドルベースには両脚部間に橋架される橋架部が形成される。
【０００３】
ハンドルベースの前面は樹脂成形品から成るハンドルトリム（ボディカバー）により覆われている。ハンドルトリムは側面に係合爪が突設され、ハンドルベースの側面に設けた係合孔に係合する。これにより、ハンドルベースに形成されるリブや脚部を固定するネジを隠して把手装置の美感が向上されている。
【０００４】
上記把手装置は大きな扉に設ける際に使用者が把持する両脚部間が例えば上下方向に長く延びて形成される。これにより、使用者の身長に応じて両脚部間の下方や上方を把持して扉を開閉することができる。ハンドルベースは樹脂から成るため両脚部間の距離が長くなると把持して引いた際に破損する場合がある。このため、把手装置にはハンドルベースに一体化してハンドルベースを補強する金属製のハンドルサポートが設けられている。
【特許文献１】特開平９−１７８３３３号公報（第３頁−第５頁、第３図）
【発明の開示】
【発明が解決しようとする課題】
【０００５】
しかしながら、上記従来の把手装置によると、金属から成るハンドルサポートと樹脂から成るハンドルベースやハンドルトリムとの熱膨張係数が異なる。外気温が変化すると、ハンドルベース、ハンドルサポート及びハンドルトリムが一体に伸縮し、これらには熱膨張係数の差による応力が加わる。この時、ハンドルベースには脚部や橋架部を支持するためのリブが形成されるため剛性が高く応力による変形が生じにくい。これに対して、ハンドルトリムはハンドルベースの表面に配されて薄いため応力によって変形や破損が生じる問題があった。
【０００６】
本発明は、表面に配されるハンドルトリムの変形や破損の発生を防止できる把手装置及びそれを備えた冷蔵庫を提供することを目的とする。
【課題を解決するための手段】
【０００７】
上記目的を達成するために本発明の把手装置は、扉の前面に密着する複数の脚部を有して前記脚部間の空間に使用者が手指を挿入して把持し、扉を開閉する把手装置において、前記脚部が形成されるとともに前記脚部間に橋架される橋架部を有する樹脂製のハンドルベースと、前記橋架部の前面に取り付けられる金属製のハンドルサポートと、前記ハンドルサポートの前面を覆う樹脂製のハンドルトリムとを備え、前記ハンドルトリムの長手方向の両端に被せて前記ハンドルトリムを係止する第１、第２係止部を前記ハンドルベースに設けたことを特徴としている。
【０００８】
この構成によると、扉にはハンドルベースの脚部が取り付けられ、脚部間に橋架される橋架部の前面にハンドルサポートが設けられる。ハンドルサポートの前面は樹脂製のハンドルトリムにより覆われる。把手装置はハンドルサポートにより強化され、両脚部間を引いた際の破損が防止されるとともに、ハンドドルトリムにより美観が向上される。ハンドルトリムは長手方向の両端に被せられた第１、第２係止部によりハンドルベースに取り付けられる。
【０００９】
また本発明は、上記構成の把手装置において、周部を前記ハンドルベースに密着して内側に空間を形成する第１、第２ハンドルキャップを前記ハンドルベースの長手方向の両端に設け、第１、第２係止部がそれぞれ第１、第２ハンドルキャップから成ることを特徴としている。
【００１０】
この構成によると、ハンドルベースの長手方向両端には第１、第２ハンドルキャップが取り付けられる。第１、第２ハンドルキャップの内側にはハンドルベースとの間に空間が形成され、該空間内にハンドルトリムの両端が嵌められる。これにより、ハンドルトリムの両端に被せられる第１、第２係止部が構成される。
【００１１】
また本発明は、上記構成の把手装置において、第１、第２ハンドルキャップの少なくとも一方は、前記ハンドルベースの側壁に設けた係止溝に係合する係止爪を有し、前記係止溝は前記ハンドルベースの長手方向に延びるとともに屈曲して前方を開放したＬ字型に形成されることを特徴としている。
【００１２】
この構成によると、例えば、第１ハンドルキャップの側壁には係止爪が設けられる。ハンドルベースの前方から係止溝内に係止爪が挿入され、第１ハンドルキャップを長手方向にスライドして係止爪が係止溝に係止される。これにより、第１ハンドルキャップが前方へ抜けないようになっている。
【００１３】
また本発明は、上記構成の把手装置において、前記ハンドルサポートは前記脚部を挟んで扉にネジ止めされる台部を有することを特徴としている。この構成によると、例えば、台部及び脚部に挿通孔が設けられ、挿通孔に挿通されるネジを扉に設けたネジ部に螺合して把手装置が扉に取り付けられる。台部にネジ部を螺設してもよい。
【００１４】
また本発明は、上記構成の把手装置において、前記ハンドルトリムは第１、第２係止部に覆われる段差部を長手方向の両端に有し、前記段差部の側壁と第１、第２係止部との間に隙間を設けたことを特徴としている。この構成によると、ハンドルトリムの両端には表面から側壁を介して凹む段差部が設けられ、段差部が第１、第２係止部により覆われる。このとき、段差部から立ち上がった該側壁と第１、第２係止部の端面との間には隙間が設けられ、ハンドルトリムは側壁と第１、第２係止部とが当接する位置まで長手方向に摺動移動可能になっている。
【００１５】
また本発明は、上記構成の把手装置において、前記ハンドルトリムは前記橋架部の側面を覆う断面コ字型の透明部材から成り、前記ハンドルトリムの背面側を塗装するとともに、前記ハンドルトリムの側壁内面が平坦面から成ることを特徴としている。この構成によると、ハンドルトリムは背面を塗装してハンドルサポートが見えないようになっており、側壁の内面は突起や凹部が形成されない平坦面になっている。これにより、ハンドルトリムは正面から見て両側壁の厚み分だけ透明に見えるとともに、側方から見て前壁の厚み分だけ透明に見える。
【００１６】
また本発明は、上記構成の把手装置において、第１、第２係止部で係止される前記ハンドルトリムの前面の曲率半径が、第１、第２係止部による係止を解除した状態の前記ハンドルトリムの前面の曲率半径よりも小さいことを特徴としている。この構成によると、曲率半径の大きいハンドルトリムは弾性変形して第１、第２係止部により係止される。
【００１７】
また本発明の冷蔵庫は、上記各構成の把手装置が取り付けられる開閉扉と、前記開閉扉により開閉して貯蔵物を冷却保存する冷却室とを備えたことを特徴としている。
【発明の効果】
【００１８】
本発明によると、ハンドルベースに設けた第１、第２係止部をハンドルトリムの長手方向の両端に被せてハンドルトリムを係止したので、外気温が変化した際にハンドルトリムは第１、第２係止部と摺動して長手方向に伸縮できる。従って、ハンドルサポートとハンドルトリムとの熱膨張係数の差によるハンドルトリムの応力が軽減され、ハンドルトリムの変形や破損を防止することができる。
【００１９】
また本発明によると、周部をハンドルベースに密着して内側に空間を形成する第１、第２ハンドルキャップをハンドルベースの長手方向の両端に設けたので、ハンドルトリムの長手方向両端を係止する第１、第２係止部を容易に実現することができる。
【００２０】
また本発明によると、第１ハンドルキャップまたは第２ハンドルキャップは係止爪がハンドルベース側壁に設けたＬ字型の係止溝に係止されるので、容易に前方に抜けない。従って、ハンドルトリムが前方に脱落することを防止することができる。
【００２１】
また本発明によると、ハンドルサポートは脚部を挟んで扉にネジ止めされる台部を有するので、把手装置を引いた際のハンドルベースの脚部と橋架部との連結部分の破損を防止して把手装置の強度をより向上することができる。
【００２２】
また本発明によると、ハンドルトリムの両端に設けた段差部の側壁と段差部を覆う第１、第２係止部との間に隙間を設けたので、外気温の変化によりハンドルトリムが第１、第２係止部と摺動して容易に伸縮できる。更に、ハンドルトリムの表面と第１、第２係止部の表面を同じ曲面内に形成して把手装置の美観を向上することができる。
【００２３】
また本発明によると、断面コ字型のハンドルトリムの背面側を塗装するとともに、ハンドルトリムの側壁内面が平坦面から成るので、ハンドルトリムは正面から見た時の両側壁や側方から見たときの前壁が透明に見える。従って、把手装置は透明感があってスマートな外観となり、把手装置の美観を向上することができる。
【００２４】
また本発明によると、曲率半径の大きなハンドルトリムを弾性変形して第１、第２係止部により係止するので、長手方向に摺動移動可能なハンドルトリムのがたつきを防止することができる。
【発明を実施するための最良の形態】
【００２５】
以下に本発明の実施形態を図面を参照して説明する。図１は一実施形態の把手装置を備えた冷蔵庫を示す斜視図である。冷蔵庫１は上部に冷凍室２が配置され、下部に冷蔵室３が配置される。冷凍室２及び冷蔵室３はそれぞれ発泡断熱材を充填した開閉扉２ａ、３ａにより開閉される。開閉扉２ａ、３ａの前面には把手装置５、６が設けられている。使用者が把手装置５、６を把持して引くことにより開閉扉２ａ、３ａを開くことができる。
【００２６】
把手装置５、６は同様の構造になっている。図２は把手装置５の側面断面図を示している。把手装置５は樹脂成形品から成るハンドルベース１０に設けた脚部１１、１２が開閉扉２ａの前面に密着して取り付けられる。両脚部１１、１２間は把持部５ａで連結され、把持部５ａと開閉扉５との間の空間７に使用者が手指を挿入して把持部５ａを把持することにより開閉扉５が開閉される。
【００２７】
ハンドルベース１０の前面には補強用の金属製のハンドルサポート２０が取り付けられる。ハンドルサポート２０の前面は樹脂成形品から成るハンドルトリム３０で覆われる。ハンドルトリム３０はハンドルベース１０に取り付けられた第１、第２ハンドルキャップ４０、５０により長手方向の両端が係止されている。
【００２８】
図３、図４はハンドルベース１０を示す正面図及び側面図である。ハンドルベース１０の両端の脚部１１、１２は内部に空間を有する箱状に形成され、補強用の複数のリブ１７ａ、１７ｂが突設されている。脚部１１にはネジが挿通される挿通孔１４ａ、１４ｂが形成される。脚部１２にはネジが挿通される挿通孔１４ｃが形成されている。
【００２９】
脚部１１、１２間には橋架部１３が橋架されている。橋架部１３は内部に空間を有する箱状に形成され、補強用の複数のリブ１７ｃが突設されている。橋架部１３内には複数のネジ孔１５ａ〜１５ｃが螺設されている。ネジ孔１５ａ、１５ｂ間及びネジ孔１５ｂ、１５ｃ間には内部に空間１６ａを有した箱状の係止部１６が突設される。また、橋架部１３及び脚部１１、１２の側壁により形成されるハンドルベース１０の前面側の表面１０ａは曲率半径Ｒ１の曲面から成っている。
【００３０】
脚部１１側のハンドルベース１０の側面には係止溝１９ａ、１９ｂが凹設される。係止溝１９ａは平面形状が矩形に形成される。係止溝１９ｂは平面形状がＬ字型に形成され、一端が前面側に開放して他端がハンドルベース１０の長手方向に延びている。また、脚部１２側のハンドルベース１０の側面には係止爪１８が突設されている。
【００３１】
図５、図６はハンドルサポート２０を示す正面図及び側面図である。ハンドルサポート２０は板金成形により形成され、ハンドルベース１０の橋架部１３のリブ１７ｃ上に設置可能なように所定の曲率半径を有している。ハンドルベース１０のネジ孔１５ａ〜１５ｃに対応する位置には挿通孔２２ａ〜２２ｃが設けられる。挿通孔２２ａ〜２２ｃに挿通されるネジ（不図示）をネジ孔１５ａ〜１５ｃに螺合することによりハンドルサポート２０が橋架部１３を覆ってハンドルベース１０に取り付けられる。
【００３２】
また、挿通孔２２ａ、２２ｂ間及び挿通孔２２ｂ、２２ｃ間には切り起こして断面Ｌ字型に屈曲される突起部２３が形成される。突起部２３がハンドルベース１０の係止部１６に係合してハンドルサポート２０の位置決めを行うとともにネジ止めを容易にできるようになっている。
【００３３】
ハンドルサポート２０の長手方向の両端は屈曲して立ち上がり部２４が形成され、立ち上がり部２４を更に屈曲して開閉扉５に平行な台部２１が設けられる。台部２１はハンドルベース１０の脚部１１、１２内に配され、脚部１１、１２の内壁１１ｂ、１２ｂに沿って立ち上がり部２４が配される。
【００３４】
台部２１には、脚部１１、１２に設けられた挿通孔１４ｂ、１４ｃに対応する位置に挿通孔２１ａ、２１ｂが設けられる。挿通孔２１ａ、２１ｂに挿通されるネジ８ａ、８ｂ（図２参照)が挿通孔１４ｂ、１４ｃを貫通し、開閉扉５に螺設したネジ孔（不図示）に螺合される。また、ハンドルベース１０の挿通孔１４ａには挿通されるネジ８ｃ（図２参照）が開閉扉５に螺設したネジ孔（不図示）に螺合される。これにより、把手装置５が開閉扉２ａに取り付けられる。
【００３５】
ハンドルサポート２０によって把持部５ａを補強して使用者が把持部５ａを把持して引いた際の把持部５ａの破損を防止する。また、立ち上がり部２４及び台部２１を設けることにより、脚部１１、１２と把持部５ａの連結部分を補強して該連結部分の破損を防止する。
【００３６】
図７、図８は第１ハンドルキャップ４０を示す側面断面図及び平面図である。第１ハンドルキャップ４０は樹脂成形品から成り、断面コ字型に形成される。第１ハンドルキャップ４０の長手方向の一端面４０ａは開放され、他端面４０ｂは塞がれている。端面４０ａには外壁を薄く形成した凹部４２が設けられている。凹部４２の前壁４２ａによって後述するようにハンドルトリム３０を係止する。
【００３７】
第１ハンドルキャップ４０の側壁４０ｃはハンドルベース１０の側面を覆い、側壁４０ｃの内面には係止爪４１ａ、４１ｂが突設されている。係止爪４１ａ、４１ｂがハンドルベース１０の係止溝１９ａ、１９ｂと係合して、第１ハンドルキャップ４０がハンドルベース１０に取り付けられる。これにより、第１ハンドルキャップ４０は周部をハンドルベース１０に密着して内側に空間を形成する。
【００３８】
第１ハンドルキャップ４０は取り付け時に係止爪４１ｂをＬ字型の係止溝１９ｂに前方から挿入してハンドルベース１０の長手方向にスライドされる。その後、前方から押圧して係止爪４１ａが係止溝１９ａに係合する。これにより、係止爪４１ｂの突出量が大きくても第１ハンドルキャップ４０を容易に取り付けることができる。加えて、係止爪４１ｂが容易に外れないため第１ハンドルキャップ４０が前方に抜けることを防止できる。従って、第１ハンドルキャップ４０に係止されるハンドルトリム３０が前方に脱落することを防止することができる。
【００３９】
図９、図１０は第２ハンドルキャップ５０を示す側面断面図及び平面図である。第２ハンドルキャップ５０は樹脂成形品から成り、断面コ字型に形成される。第２ハンドルキャップ５０の長手方向の一端面５０ａは開放され、他端面５０ｂは塞がれている。端面５０ａには外壁を薄く形成した凹部５３が設けられている。凹部５３の前壁５３ａによって後述するようにハンドルトリム３０を係止する。
【００４０】
第２ハンドルキャップ５０の側壁５０ｃはハンドルベース１０の側面を覆い、側壁５０ｃの内面には係止溝５１が凹設されている。第２ハンドルキャップ５０の図中、下面には係止爪５２が突設されている。第２ハンドルキャップ５０はハンドルベース１０の長手方向に押入され、係止溝５１にハンドルベース１０の係止爪１８が係合するとともに係止爪５２が脚部１２の内壁１２ｃ（図３参照）に係合する。これにより、第２ハンドルキャップ５０は周部をハンドルベース１０に密着して内側に空間を形成する。
【００４１】
図１１、図１２、図１３はハンドルトリム３０を示す正面図、側面図及び平面図である。ハンドルトリム３０は透明な樹脂から成り、断面コ字型に形成される。ハンドルトリム３０の側壁３０ｂはハンドルベース１０の側面を覆い、背面３０ｃ及び側壁３０ｂの内面は塗装されている。
【００４２】
ハンドルトリム３０の前壁３０ａには、長手方向の両端に段差部３１、３２が設けられる。段差部３１、３２は前壁３０ａの表面から傾斜した側壁３１ａ、３２ａを介して凹んで形成されている。段差部３１、３２の前面は第１、第２ハンドルキャップ４０、５０の凹部４２、５３の前壁４２ａ、５３ａにより覆われる。
【００４３】
これにより、ハンドルトリム３０の長手方向の両端の前面に第１、第２ハンドルキャップ４０、５０を被せてハンドルトリム３０がハンドルベース１０に係止される。従って、第１、第２ハンドルキャップ４０、５０はハンドルトリム３０を係止する第１、第２係止部を構成する。他の構成の第１、第２係止部によりハンドルトリム３０の長手方向の両端を係止してもよい。また、ハンドルトリム３０の表面と第１、第２ハンドルキャップ４０、５０の表面が同じ曲面内に形成されるため、把手装置５、６の美観を向上することができる。
【００４４】
ハンドルトリム３０の段差部３１、３２は第１、第２ハンドルキャップ４０、５０の凹部４２、４３内に配され、段差部３１、３２の側壁３１ａ、３２ａと第１、第２ハンドルキャップ４０、５０の端面４０ａ、５０ａの間には隙間が形成される。これにより、ハンドルトリム３０は段差部３１、３２の側壁３１ａ、３２ａが第１、第２ハンドルキャップ４０、５０の端面４０ａ、５０ａに当接する位置まで長手方向に摺動移動可能になっている。
【００４５】
ハンドルトリム３０の前壁３０ａは所定の曲率半径Ｒ２で形成されている。曲率半径Ｒ２はハンドルベース１０の表面１０ａの曲率半径Ｒ１（図３参照）よりも大きく形成されている。ハンドルトリム３０はハンドルベース１０に取り付ける際に表面１０ａに沿って弾性変形し、第１、第２ハンドルキャップ４０、５０に係止される。従って、摺動移動可能なハンドルトリム３０のがたつきを防止することができる。
【００４６】
本実施形態によると、ハンドルベース１０に設けた第１、第２ハンドルキャップ４０、５０をハンドルトリム３０の長手方向の両端に被せてハンドルトリム３０を係止したので、外気温が変化した際にハンドルトリム３０は第１、第２ハンドルキャップ４０、５０と摺動して長手方向に伸縮できる。従って、ハンドルサポート２０とハンドルトリム３０との熱膨張係数の差によるハンドルトリム３０の応力を軽減し、ハンドルトリム３０の変形や破損を防止することができる。
【００４７】
特に、貯蔵物を冷却保存する冷凍室２や冷蔵室３等の冷却室の開閉扉２ａ、３ａに把手装置５、６を設けると、取り付け用のネジ８ａ〜８ｃを介してハンドルサポート２０に冷却室の冷熱が伝えられる。これに対して、ハンドルトリム３０は外気に曝される。このため、ハンドルサポート２０とハンドルトリム３０は温度差が生じて熱膨張の差が更に大きくなる。
【００４８】
従って、ハンドルトリム３０の長手方向の両端に第１、第２ハンドルキャップ４０、５０を被せてハンドルトリム３０を係止することにより、ハンドルサポート２０とハンドルトリム３０との温度の差によるハンドルトリム３０の変形や破損を防止することができる。
【００４９】
また、断面コ字型のハンドルトリム３０の背面３０ｃ側を塗装してハンドルサポート３０やリブ１７ａ〜１７ｃ等を見えなくし、ハンドルトリム３０の側壁３０ｂ内面はハンドルトリム３０を係止するための突起や凹部が設けられずに平坦面に形成される。このため、ハンドルトリム３０は正面から見た時の両側壁３０ｂや側方から見たときの前壁３０ａが透明に見える。従って、把手装置５、６は透明感があってスマートな外観となり、把手装置５、６の美観を向上することができる。
【００５０】
尚、本実施形態において、把手装置５、６は上下非対称に形成されるが、上下対称に形成してもよい。また、把手装置５、６を引き出し式の扉に設けてもよく、機器の上面を開閉する扉に設けてもよい。
【産業上の利用可能性】
【００５１】
本発明は、使用者が把持して扉を開閉する把手装置に利用することができる。
【図面の簡単な説明】
【００５２】
【図１】本発明の実施形態の把手装置を備えた冷蔵庫を示す斜視図
【図２】本発明の実施形態の把手装置を示す側面断面図
【図３】本発明の実施形態の把手装置のハンドルベースを示す正面図
【図４】本発明の実施形態の把手装置のハンドルベースを示す側面図
【図５】本発明の実施形態の把手装置のハンドルサポートを示す正面図
【図６】本発明の実施形態の把手装置のハンドルサポートを示す側面図
【図７】本発明の実施形態の把手装置の第１ハンドルキャップを示す側面断面図
【図８】本発明の実施形態の把手装置の第１ハンドルキャップを示す平面図
【図９】本発明の実施形態の把手装置の第２ハンドルキャップを示す側面断面図
【図１０】本発明の実施形態の把手装置の第２ハンドルキャップを示す平面図
【図１１】本発明の実施形態の把手装置のハンドルトリムを示す正面図
【図１２】本発明の実施形態の把手装置のハンドルトリムを示す側面図
【図１３】本発明の実施形態の把手装置のハンドルトリムを示す平面図
【符号の説明】
【００５３】
１    冷蔵庫
２    冷凍室
２ａ、３ａ  開閉扉
３    冷蔵室
５、６  把手装置
５ａ  把持部
７    空間
１０    ハンドルベース
１１、１２  脚部
１３    橋架部
１８    係止爪
１９ａ、１９ｂ  係止溝
２０    ハンドルサポート
２１    台部
３０    ハンドルトリム
３０ａ  前壁
３０ｂ  側壁
３１、３２  段差部
３１ａ、３２ａ  側壁
４０    第１ハンドルキャップ
４１ａ、４１ｂ  係止爪
４２    凹部
５０    第２ハンドルキャップ
５１    係止溝
５２    係止爪
５３    凹部
【図１】
2006250481.tif 000003
【図２】
2006250481.tif 000004
【図３】
2006250481.tif 000005
【図４】
2006250481.tif 000006
【図５】
2006250481.tif 000007
【図６】
2006250481.tif 000008
【図７】
2006250481.tif 000009
【図８】
2006250481.tif 000010
【図９】
2006250481.tif 000011
【図１０】
2006250481.tif 000012
【図１１】
2006250481.tif 000013
【図１２】
2006250481.tif 000014
【図１３】
2006250481.tif 000015